(57)【要約】【課題】根管長測定具に接触して根管長測定具を通して根管長測定用の電流を流すための電極を歯科用ハンドピースのヘッド部内に配設可能として該電極が根管形成作業の邪魔にならないようにするとともに、該電極と根管長測定具との接触、離脱操作を簡単に行えるようにする。【解決手段】ヘッド部１０′内に回転自在に配設されたスリーブ１１を有し、該スリーブ１１内に根管長測定具３０を挿脱自在に装着し、該根管長測定具３０を通して根管内に電流を流して根管長を測定可能とした。ヘッド部上部に前記スリーブ１１の軸に対して直角の面内で回動する配設されたレバー４０を有し、該レバー４０は前記スリーブ１１の上方に対応する位置において一方が開口された切り欠き部４０ａを有し、前記レバー４０を回動することによって前記根管長測定具３０を前記切り欠き内に位置させ、該根管長測定具と前記レバーとを接触可能とした。【選択図】図１
2006167360.tif 000002
【特許請求の範囲】
【請求項１】
ヘッド内に回転自在に配設されたスリーブを有し、該スリーブ内に根管長測定具を挿脱自在に装着し、該根管長測定具を通して根管内に電流を流して根管長を測定可能とした歯科用ハンドピースにおいて、ヘッド部上部に前記スリーブの軸に対して直角の面内で回動するよう配設されたレバーを有し、該レバーは前記スリーブの上方でかつ該スリーブに対応する位置において一方が開口された切り欠き部を有し、前記レバーを回動することによって前記根管長測定具を前記切り欠き部内に位置させ、該根管長測定具と前記レバーとを接触するようにしたことを特徴とする歯科用ハンドピース。
【請求項２】
前記レバーの他端は該レバーを回動した時に、ハンドピース本体部に対して係合、離脱し、係合した時に、該ハンドピース本体部に対してバネ圧接することを特徴とする請求項１記載の歯科用ハンドピース。
【請求項３】
前記切り欠き部の内周に導電性のバネ板が配設され、該バネ板が前記根管長測定具と接触するように構成されていることを特徴とする請求項１又は２に記載の歯科用ハンドピース。
【請求項４】
前記根管長測定具は前記スリーブの内径よりやや小径の頭部と、該頭部に続く該頭部より小径の頸部を有し、前記レバーの前記切り欠き部が前記頸部に係合、離脱し、前記根管長測定具を前記スリーブ内に挿抜可能にしたことを特徴とする請求項１乃至３のいずれかに記載の歯科用ハンドピース。
【発明の詳細な説明】
【技術分野】
【０００１】
本発明は、歯科用ハンドピース、より詳細には、根管形成のためのリーマやファイル、根管長測定針など（以下、これらを総称して、根管長測定具という）をハンドピースヘッド部に簡単に装着可能とし、装着した時に、該根管長測定具がヘッド部から抜け落ちないようにするとともに、該根管長測定具を通して根管長測定のための電気回路を形成するようにした歯科用ハンドピースに関する。
【背景技術】
【０００２】
歯科治療においては、歯牙の根管内象牙質内に侵入した細菌や異物などを削除して感染源をなくし、根管の消毒を容易にし、根尖歯周組織創傷の治癒促進等を図ることを目的として、マイクロエンジンハンドピースの先端に着脱自在に装着したリーマやファイル等の切削具を用いて、根管壁を削り取り、根管を根尖狭窄部まで拡大する作業を行う。
【０００３】
而して、根管拡大作業は、根管の根尖狭窄部まで行うが、この根尖狭窄部は目に見えないため、通常、この根尖狭窄位置を電気的に検出し、この狭窄位置まで切削具を切り進めて根管拡大を行い、狭窄位置に達したら切削具の回転を止め、或いは、逆回転し、該切削具を狭窄位置から後退し、再度、切削具を根管内に挿入して根管拡大作業を行うようにしている。
【０００４】
図４は、根尖位置検出（根管長測定）器の一例を説明するための要部構成図で、図中、１００は根尖位置（又は根管長）測定ファイル、１０１は測定電極端子、１０２は対向電極端子、１０３は測定電極端子１０１に連通する測定電極端子用リード線、１０４は口唇１１２に引っかけて使用する対向電極端子１０２に連通する測定（対向）電極端子用リード線、１１０は根尖位置（又は根管長）を測定しようとする歯牙、１１１は根管、１１２は口唇、１２０は前記リード線１０３，１０４が接続される根尖位置測定器、１２１は根尖位置検出表示部で、周知のように、ファイル１００に測定電極端子１０１を接触させた状態で、ファイル１００を根管１１１内に挿入していった時の根尖位置検出表示部１２１の指針位置よりファイル１００の先端が根尖位置に達したことを知るものである（特許文献１参照）。
【０００５】
上述のように、歯科治療において、根管形成時、根尖位置（根管長）を電気的に検出することが行われているが（特許文献２，３参照）、特に、歯科用ハンドピースにリーマやファイル等の根管形成具を取り付け、これら根管長測定具を通して根管長測定用の電流を流す場合に、該根管長測定具と接触する電極が、歯科用ハンドピースの外側、特に、歯牙に近い側の外側に配設されているため、該接触電極が根管形成作業の邪魔になったり、また、その操作（接触させたり、離脱させたりする作業）が非常に面倒である。
【特許文献１】特開平９−９４２５９号公報
【特許文献２】特開平９−２２４９６１号公報
【特許文献３】特開２００４−２３６７７７号公報
【発明の開示】
【発明が解決しようとする課題】
【０００６】
本発明は、上述のごとき実情に鑑みてなされたもので、リーマやファイル等の根管長測定具を歯科用ハンドピースに着脱自在に装着して、根管の形成拡大等を行いながら、同時に根尖位置を電気的に検出できるようにした歯科用ハンドピースにおいて、前記根管長測定具に接触して該根管長測定具を通して根管長測定用の電流を流すための電極を、歯科用ハンドピースのヘッド部内に配設可能として該電極が根管形成作業の邪魔にならないようにするとともに、該電極と根管長測定具との接触、離脱操作を簡単に行えるようにすることを目的としてなされるものである。
【課題を解決するための手段】
【０００７】
本発明は、上記目的を達成するために、請求項１の発明は、ヘッド部内に回転自在に配設されたスリーブを有し、該スリーブ内に根管長測定具を挿脱自在に装着し、該根管長測定具を通して根管内に電流を流して根管長を測定可能とした歯科用ハンドピースにおいて、ヘッド部上部に前記スリーブの軸に対して直角の面内で回動するよう配設されたレバーを有し、該レバーは前記スリーブの上方でかつ該スリーブに対応する位置において一方が開口された切り欠き部を有し、前記レバーを回動することによって前記根管長測定具を前記切り欠き部内に位置させ、該根管長測定具と前記レバーとを接触するようにしたことを特徴としたものである。
【０００８】
請求項２の発明は、請求項１の発明において、前記レバーの他端は該レバーを回動した時に、ハンドピース本体部に対して係合、離脱し、係合した時に、該ハンドピース本体部に対してバネ圧接することを特徴としたものである。
【０００９】
請求項３の発明は、請求項１又は２の発明において、前記切り欠き部の内周に導電性のバネ板が配設され、該バネ板が前記根管長測定具と接触するように構成されていることを特徴としたものである。
【００１０】
請求項４の発明は、請求項１乃至３のいずれかの発明において、前記根管長測定具は前記スリーブの内径よりやや小径の頭部と、該頭部に続く該頭部より小径の頸部を有し、前記レバーの前記切り欠き部が前記頸部に係合、離脱し、前記根管長測定具を前記スリーブ内に挿抜可能にしたことを特徴としたものである。
【発明の効果】
【００１１】
本発明によると、根管長測定具に着脱自在に接触する根管長測定用の接触電極が歯科用ハンドピースのヘッド部内に収納されているので、該接触電極が根管形成作業の邪魔になるようなことはなく、また、該接触電極の移動（接触、離脱）を行うレバーがハンドピースの上面側に配設されているので、ハンドピースに根管長測定具を挿脱する作業や、装着した根管長測定具に接触電極を接触させる作業を非常に楽に行うことができる。
【発明を実施するための最良の形態】
【００１２】
図１は、本発明による歯科用ハンドピースの一実施例を説明するための要部（ヘッド部）構成図で、図中、１０は歯科用ハンドピース、１０′は該歯科用ハンドピースのヘッド部、２０は該ヘッド部１０′に対して着脱自在に螺合される蓋部材で、ヘッド部１０′内にはスリーブ１１が回転自在に配設されている。１２は（図示しない）ハンドピース本体内に配設されているモータ等によって回転される回転軸、１３，１４は該回転軸１２の回転を前記スリーブ１１に伝達するための歯車、１５は軸１２を回転自在に支えるボールベアリング、１６，１７はスリーブ１１を回転自在に支えるボールベアリングで、これらによって、スリーブ１１はヘッド部１０′内に回転自在に配設されている。
【００１３】
３０は前記スリーブ１１内に挿抜自在に挿入されるリーマ又はファイル等の根管長測定具で、図２に詳細に示すように、該根管長測定具３０の径Ｌ２はスリーブ１１の径Ｌ１よりやや細く形成されており、従って、該根管長測定具３０をスリーブ１１内に着脱自在に挿入することができる。根管長測定具３０の上部には該根管長測定具３０の径と同じか又はそれよりやや細く形成された頭部３１を有し、更に、該頭部３１に続いて頸部３２が設けられており、これら、頭部３１及び頸部３２は、根管長測定具３０がスリーブ１１内に完全に収納された時に、該スリーブ１１の上部から突出するように形成されている（図２（Ｂ）参照）。
【００１４】
図２は、前記回転スリーブ１１と根管長測定具３０の関係を説明するための詳細図で、スリーブ１１は、図２（Ａ）に示すように、上端部において内径側に張り出す張り出し部１２を有し、該張り出し部１２はスリーブ１１の内径の一部を覆っている。一方、根管長測定具３０の上端部は、スリーブ１１の内径Ｌ１より細径の頭部３１を有し、この頭部３１の一部は、スリーブ１１の前記張り出し部１２を避けて挿通可能なように切り欠かれており、これによって、根管長測定具３０の上部をスリーブ１１の上面より突出させることができる。
【００１５】
根管長測定具３０の前記頸部３２に続く部分は、前記スリーブ１１の内径Ｌ１よりやや小径の径Ｌ２に形成されており、その上面の一部に、前記頭部３１と同形の切り欠きを有し、その切り欠き長さｌ２を前記スリーブ１１の張り出し部の軸方向長さｌ１と略同じ又はそれよりやや長くしてある。従って、根管長測定具３０をスリーブ１１内一杯に挿入すると、根管長測定具３０の切り欠き部上面３３ａがスリーブ１１の張り出し部１２の下面１２ａに突き当り（図２（Ｂ））、根管長測定具３０の頭部３１及び頸部３２がスリーブ１１の上部に突き出た状態で、根管長測定具３０がスリーブ１１内に装着される。この状態で、スリーブ１１の張り出し部１２の内周面１２ｂは根管長測定具３０の切り欠き部の外周面３３ｂと係合し、この１２ｂと３３ｂとの係合によって、スリーブ１１の回転が根管長測定具３０に伝達され、スリーブ１１と根管長測定具３０は一体的に回転する。
【００１６】
図１において、４０は、上述のようにして挿入された根管長測定具３０がスリーブ１１から抜け落ちないように該根管長測定具を保持する保持レバーであるが、この保持レバー４０は、同時に、根管長測定具３０に接触し、該根管長測定具３０に根管長測定用の電流を流す役目をも兼ねている。レバー４０は、図３に詳細に示すように、ピン４１を中心に、かつ、根管長測定具３０の頸部３２と同一平面内で回動可能に配設されており、該根管長測定具３０の頭部３１が通過する部分には切り欠き凹部４０ａが設けられており、この切り欠き凹部４０ａ内に根管長測定具３０の頸部３２が係合されるようになっている。
【００１７】
図３（Ａ）は、レバー４０の切り欠き凹部４０ａが根管長測定具３０の頸部３２に係合し、かつ、レバー４０の一部が根管長測定具３０の頭部３１の通過を阻止する位置にあり、これによって、装着された根管長測定具３０がスリーブから抜け落ちることのないようにしている。根管長測定具３０をハンドピースヘッドに装着する時は、レバー４０を、図３（Ｂ）に破線にて示す位置に回動する。すると、レバー４０の前記切り欠き凹部４０ａは、根管長測定具３０の頭部３１を通過させる位置に移動するので、この状態で、つまり、レバー４０を破線の位置に回動した状態で、根管長測定具３０をハンドピースヘッドのスリーブ１１に挿入し或いは取り外すことが可能となる。
【００１８】
上述のように、根管長測定具３０は、ハンドピース１０のヘッド部１０′内のスリーブ１１に着脱自在に装着可能で、装着された後は、レバー４０によって、スリーブ１１から脱落しないように保持されているが、本発明は、更に、このレバー４０を根管長測定具３０に接触可能とし、これによって、根管長測定具３０を通して根尖位置検出用の電流を流し、根管形成作業中に、根尖位置を検出可能としたものである。
【００１９】
前述のようにして、レバー４０で根管長測定具３０を保持した時に、該レバー４０の切り欠き凹部４０ａの内周面の一部が該根管長測定具３０の前記頸部３２の外周面と接触するように、該切り欠き部凹部４０ａの形状及びピン４１の位置を設計することも可能であり、図３（Ｂ）は、そのように設計した場合の構成を平面的に示している。しかし、これらの接触をより確実なものにするためには、レバー４０の切り欠き凹部４０ａの内周面に導電性のバネ板部材を取り付けておき、該バネ板部材を根管長測定具３０の頸部３２の外周面に接触させるようにしてもよい。
【００２０】
更には、レバー４０の他端（切り欠き凹部４０ａに対して反対側の端部）４０ｂは、根管長測定具３０を保持した時に（図３（Ｂ）において、実線にて示した位置にした時に）、ハンドピース本体１０に係合するよう該ハンドピース本体１０の外周に合せた凹部４０ｃに形成されており（図３（Ｃ）参照）、更には、レバー４０の端部４０ｂにおいて弾性的にハンドピース本体１０と係合するようピン４１から端部４０ｂまでに弾力を持たせて、かつ、該レバー４０の端部４０ｂの下端位置が根管長測定具３０の頸部３２の位置より高く又は低くしてあり、これによって、レバー４０に根管長測定具３０を保持した時に、レバー４０の切り欠き凹部４０ａの周辺が該根管長測定具３０の頭部３１の下面又は上面に当接し、これによって、レバー４０を所定の位置（図３中に実線にて示す位置）に保持し、かつ、該レバー４０と根管長測定具３０とを確実に接触させることができる。
【００２１】
なお、以上には、根管長測定具の装脱及び保持、及び、該根管長測定具とレバーとの電気的接触について説明し、根管長測定用の電気回路についての説明は省略したが、根管長測定の電気回路構成は、例えば、図４に示したように、周知であり、前述のようにして、根管長測定具に接触したレバーを通して、或いは、特別に配設されたリード線を通して、根管長測定用の電流を流すことは、当業者にとって、任意、所望の構成にて行うことができる。
【図面の簡単な説明】
【００２２】
【図１】本発明による歯科用ハンドピースのヘッド部構成図である。
【図２】ヘッド部内の回転スリーブと根管長測定具の関係を説明するための図である。
【図３】根管長測定具と該根管長測定具を保持し、かつ、該根管長測定具と接触可能なレバーとの関係を説明するための図である。
【図４】根管長測定具の一例を説明するための図である。
【符号の説明】
【００２３】
１０…歯科用ハンドピース本体、１０′…ヘッド部、１１…回転スリーブ、２０…蓋部材、３０…根管長測定具、４０…レバー。
【図１】
2006167360.tif 000003
【図２】
2006167360.tif 000004
【図３】
2006167360.tif 000005
【図４】
2006167360.tif 000006